(57)【要約】      （修正有）【課題】浴室暖房乾燥機のファンの回転に起因する共振が生じた場合に、共振状態を速やかに解消し、共振を抑制することを提供する。【解決手段】循環ファン１２及び換気ファン１６を同時に作動させる温風乾燥運転または送風乾燥運転の実行中に、加速度センサによって検出される加速度が、第１所定値ＳＣ１以上なったときには、共振しているとして、いずれか一方のファン１２(または１６)の回転数を所定回転数変更し、この所定回数の変更によって、加速度センサによって検出される加速度が、上記第１所定値未満の第２所定値以下に低下しないときには、共振が他方のファンに起因しているとして他方のファン１６(または１２)の回転数を所定回転数変更する。【選択図】図３
2015081743.tif 000002
【特許請求の範囲】
【請求項１】
浴室内の空気を換気する換気ファン、浴室内の空気を循環する循環ファン、及び、循環する空気を加熱する加熱手段を備え、
前記換気ファン及び前記循環ファンを作動させると共に、前記加熱手段によって空気を加熱する温風乾燥運転と、
前記換気ファン及び前記循環ファンを作動させると共に、前記加熱手段による空気の加熱を行わない送風乾燥運転と、
前記換気ファンを作動させることなく、前記循環ファンを作動させると共に、前記加熱手段によって空気を加熱する暖房運転と、を実行する浴室暖房乾燥機において、
振動を検知する振動検知手段と、
前記振動検知手段の検知出力に基づいて、前記換気ファン及び前記循環ファンの回転数を制御する制御手段とを備え、
前記制御手段は、前記温風乾燥運転または前記送風乾燥運転の実行中に、前記振動検知手段によって検知される振動レベルが、第１所定値を越える場合には、前記換気ファン及び前記循環ファンの内の一方のファンの回転数を、第１所定回転数変更し、前記一方のファンの回転数を、前記第１所定回転数変更しても前記振動レベルが、前記第１所定値未満の第２所定値以下に低下しないときには、前記換気ファン及び前記循環ファンの内の他方のファンの回転数を、第２所定回転数変更する、
ことを特徴とする浴室暖房乾燥機。
【請求項２】
前記制御手段は、記憶部を有し、
前記制御手段は、前記一方のファンの回転数を、前記第１所定回転数変更することによって、前記振動レベルが、前記第２所定値以下に低下したときには、変更後の前記一方のファンの回転数を、該一方のファン用の変更後回転数として前記記憶部に記憶し、
前記他方のファンの回転数を、前記第２所定回転数変更することによって、前記振動レベルが、前記第２所定値以下に低下したときには、変更後の前記他方のファンの回転数を、該他方のファン用の変更後回転数として前記記憶部に記憶し、
前記制御手段は、前記変更後回転数が前記記憶部に記憶されている場合には、次回以降の前記温風乾燥運転または前記送風乾燥運転の実行時に、ファンの回転数を、前記記憶部に記憶されている対応するファン用の変更後回転数に制御する、
請求項１に記載の浴室暖房乾燥機。
【請求項３】
前記一方のファンの前記第１所定回転数の変更、及び、前記他方のファンの前記第２所定回転数の変更が、いずれも回転数を増加させる変更である、
請求項１または２に記載の浴室暖房乾燥機。
【請求項４】
前記暖房運転における前記循環ファンの回転数が複数段階で設定可能な設定手段を備え、
前記制御手段は、前記設定手段の設定に基づいて、前記循環ファンの回転数を制御するものであり、
前記制御手段は、前記循環ファンの回転数が前記複数段階の内の回転数が最も低い段階の回転数に設定された状態の前記暖房運転の実行中に、前記振動検知手段によって検知される振動レベルが、第３所定値を越えるときには、前記循環ファンの回転数を、第３所定回転数減少させ、前記最も低い段階以外の回転数に設定された状態の前記暖房運転の実行中に、前記振動検知手段によって検知される振動レベルが、前記第３所定値を越えるときには、前記循環ファンの回転数を、第４所定回転数増加させる、
請求項１ないし３のいずれかに記載の浴室暖房乾燥機。
【請求項５】
前記制御手段は、前記他方のファンの回転数を、前記第２所定回転数変更しても、前記振動レベルが、前記第２所定値以下に低下しないときには、前記一方のファン及び前記他方のファンの少なくともいずれか一方のファンの回転数を、更に変更する、
請求項１ないし４のいずれかに記載の浴室暖房乾燥機。
【発明の詳細な説明】
【技術分野】
【０００１】
本発明は、浴室内を暖房、換気などするために用いる浴室暖房乾燥機に関する。
【背景技術】
【０００２】
浴室暖房乾燥機は、その本体が、浴室の天井などに取り付けられるのであるが、前記本体は、浴室内の空気の換気や循環のためのファンを備えており、これらのファンの回転よって発生する振動が浴室天井面に伝播するのを軽減すると共に、施工による振動伝播のバラツキを少なくする浴室暖房乾燥機が提案されている（例えば、特許文献１参照）。
【０００３】
この特許文献１では、浴室天井面の開口に下側から浴室暖房乾燥機本体を入れ、浴室暖房乾燥機本体のフランジを浴室天井面に対して接触させない状態で浴室暖房乾燥機本体の固定を行い、浴室暖房乾燥機本体の固定を行った後に浴室天井面とフランジとをシールすることにより、浴室暖房乾燥機本体の循環用ファンなどが回転することによって発生する振動が浴室天井面に伝播するのを軽減して振動伝播のばらつきを少なくするようにしている。
【先行技術文献】
【特許文献】
【０００４】
【特許文献１】特開２００７−３２２０７２号公報
【発明の概要】
【発明が解決しようとする課題】
【０００５】
特許文献１のように、浴室天井面と浴室暖房乾燥機本体とを、シール材を用いてシールしても、浴室暖房乾燥機本体のファンの回転による振動数と、シール材を含む浴室天井面等の構造物の固有振動数とが一致する場合には、共振して大きな振動が生じてしまうことになる。
【０００６】
また、一般的に、浴室暖房乾燥機は、ユニットバスに設置されることが多い。ユニットバスには多種多様のものがあり、これらのユニットバスに浴室暖房乾燥機が設置されて、浴室暖房乾燥機のファンが回転したときに、ファンに生じる振動が、浴室暖房乾燥機が設置されたユニットバスに伝播する特性及びユニットバスに伝播した上記振動がユニットバスにおいて増幅または減衰される、ユニットバスの振動特性は、浴室暖房乾燥機が設置されるユニットバスの種類やユニットバスの設置状況によって異なる。
【０００７】
したがって、浴室天井面と浴室暖房乾燥機本体とを、シール材を用いてシールする特許文献１では、ユニットバスのように振動特性が様々に異なる浴室に浴室暖房乾燥機を設置するような場合に、共振による大きな振動を効果的に抑制するのは困難である。
【０００８】
本発明は、このような実情に着目してなされたものであって、浴室暖房乾燥機のファンの回転によって浴室の共振が生じた場合に、その共振を持続させることなく、速やかに共振状態を解消して共振による大きな振動を抑制することを目的とする。
【課題を解決するための手段】
【０００９】
（１）本発明の浴室暖房乾燥機は、浴室内の空気を換気する換気ファン、浴室内の空気を循環する循環ファン、及び、循環する空気を加熱する加熱手段を備え、
前記換気ファン及び前記循環ファンを作動させると共に、前記加熱手段によって空気を加熱する温風乾燥運転と、前記換気ファン及び前記循環ファンを作動させると共に、前記加熱手段による空気の加熱を行わない送風乾燥運転と、前記換気ファンを作動させることなく、前記循環ファンを作動させると共に、前記加熱手段によって空気を加熱する暖房運転と、を実行する浴室暖房乾燥機において、
振動を検知する振動検知手段と、前記振動検知手段の検知出力に基づいて、前記換気ファン及び前記循環ファンの回転数を制御する制御手段とを備え、
前記制御手段は、前記温風乾燥運転または前記送風乾燥運転の実行中に、前記振動検知手段によって検知される振動レベルが、第１所定値を越える場合には、前記換気ファン及び前記循環ファンの内の一方のファンの回転数を、第１所定回転数変更し、前記一方のファンの回転数を、前記第１所定回転数変更しても前記振動レベルが、前記第１所定値未満の第２所定値以下に低下しないときには、前記換気ファン及び前記循環ファンの内の他方のファンの回転数を、第２所定回転数変更することを特徴とする。
【００１０】
前記第１所定回転数と前記第２所定回転数は、同じであってもよいし、異なっていてもよい。
【００１１】
本発明によると、換気ファン及び循環ファンを共に作動させる温風乾燥運転または送風乾燥運転の実行中に、ファンの回転に起因して共振が生じて振動検知手段によって検知される振動レベルが第１所定値を超えると、換気ファン及び循環ファンの内の一方のファンの回転数を、第１所定回転数変更し、これによって、前記一方のファンの回転に起因する共振である場合には、その共振状態を速やかに解消するようにする。また、前記一方のファンの回転数を第１所定回転数変更しても、振動レベルが、前記第１所定値未満の第２所定値以下に低下せず、共振状態が解消しないときには、前記一方のファンの回転に起因する共振ではなく、他方のファンの回転に起因する共振であるとして、前記他方のファンの回転数を、第２所定回転数変更して共振状態を速やかに解消するようしている。
【００１２】
このように、温風乾燥運転または送風乾燥運転の実行中に、振動検知手段によって検知される振動レベルが第１所定値を超えるときには、共振が生じたとして、換気ファン及び循環ファンの内の少なくとも一方のファンの回転数を所定回転数変更して共振が生じる回転数領域からずらすことができるので、共振が生じても持続することがなく、速やかに共振状態を解消することができる。
【００１３】
特に、浴室暖房乾燥機は、ユニットバスのように振動特性の異なる多様な浴室に設置されるので、浴室の種類や設置の状況によって共振周波数も異なり、共振を生じ易いが、本発明によれば、共振が生じたときには、速やかにその共振状態を解消することができる。
【００１４】
（２）本発明の好ましい実施態様では、前記制御手段は、記憶部を有し、
前記制御手段は、前記一方のファンの回転数を、前記第１所定回転数変更することによって、前記振動レベルが、前記第２所定値以下に低下したときには、変更後の前記一方のファンの回転数を、該一方のファン用の変更後回転数として前記記憶部に記憶し、
前記他方のファンの回転数を、前記第２所定回転数変更することによって、前記振動レベルが、前記第２所定値以下に低下したときには、変更後の前記他方のファンの回転数を、該他方のファン用の変更後回転数として前記記憶部に記憶し、
前記制御手段は、前記変更後回転数が前記記憶部に記憶されている場合には、次回以降の前記温風乾燥運転または前記送風乾燥運転の実行時に、ファンの回転数を、前記記憶部に記憶されている対応するファン用の変更後回転数に制御する。
【００１５】
この実施態様によると、一方のファンの回転数を、第１所定回転数変更することによって、振動レベルが低下して共振状態が解消されたときには、変更後の回転数を一方のファン用の変更後回転数として記憶部に記憶し、また、他方のファンの回転数を、第２所定回転数変更することによって、振動レベルが低下して共振状態が解消したときには、変更後の回転数を他方のファン用の変更後回転数として記憶部に記憶し、次回以降の温風乾燥運転または送風乾燥運転の実行時に、ファンの回転数を、記憶部に記憶されている変更後回転数に制御するので、次回以降の運転時には、初回運転の実行時のような共振が生じるのを防止することができる。
【００１６】
（３）本発明の他の実施態様では、前記一方のファンの前記第１所定回転数の変更、及び、前記他方のファンの前記第２所定回転数の変更が、いずれも回転数を増加させる変更である。
【００１７】
この実施態様によると、換気ファンや循環ファンの回転数を増加させるので、換気風量や循環風量が増加することになるが、共振が生じる回転数からずらすように回転数を増加させればよいので、風量の増加量は比較的少なく、しかも、温風乾燥運転は、一般的に入浴後の浴室の乾燥や衣類の乾燥などに使用されるために、風量を多少増加させても不都合は生じにくく、送風乾燥運転も、涼風モードとして主に夏場の入浴時に涼風感を得るために使用されるために、風量を多少増加させても不都合は生じにくく、更に、換気を行っている場合にも、風量を多少増加させても問題は生じにくい。
【００１８】
（４）本発明の更に他の実施態様では、前記暖房運転における前記循環ファンの回転数が複数段階で設定可能な設定手段を備え、
前記制御手段は、前記設定手段の設定に基づいて、前記循環ファンの回転数を制御するものであり、
前記制御手段は、前記循環ファンの回転数が前記複数段階の内の回転数が最も低い段階の回転数に設定された状態の前記暖房運転の実行中に、前記振動検知手段によって検知される振動レベルが、第３所定値を越えるときには、前記循環ファンの回転数を、第３所定回転数減少させ、前記最も低い段階以外の回転数に設定された状態の前記暖房運転の実行中に、前記振動検知手段によって検知される振動レベルが、前記第３所定値を越えるときには、前記循環ファンの回転数を、第４所定回転数増加させる。
【００１９】
前記第３所定値は、上記第１所定値と同じであってもよいし、異なっていてもよい。
【００２０】
前記第３所定回転数は、前記第４所定回転数と同じであってもよいし、異なっていてもよい。また、これら回転数は、上記第１所定回転数または上記第２所定回転数と同じであってもよいし、異なっていてもよい。
【００２１】
設定手段では、暖房運転の温風の風量、すなわち、循環ファンの回転数を複数段階、例えば、「強」、「弱」の２段階で設定可能であり、一般に、「強」は、主に入浴前の浴室を暖める予備暖房に使用され、「弱」は、主に入浴中の暖房に使用される。
【００２２】
この実施態様によると、循環ファンのみを作動させて循環空気を加熱する暖房運転の実行中に、振動検知手段によって検知される振動レベルが第３所定値を超えると、循環ファンの回転に起因する共振であるとして、循環ファンの回転数を、設定手段による暖房運転の設定状態に応じて、第３所定回数減少、あるいは、第４所定回転数増加させるので、循環ファンに起因する共振状態を速やかに解消することができる。
【００２３】
しかも、循環ファンの回転数が、設定手段で設定可能な複数段階の内の回転数が最も低い段階、例えば、「弱」に設定された状態の暖房運転、主に入浴中の暖房に使用される暖房運転の実行中は、循環ファンの回転数を減少させるので、回転数を増加させて風量を増やす場合のように、浴室内の使用者の濡れた肌に当たる風量が増えて、使用者が肌寒さを感じるといったことがない。また、循環ファンの回転数が、前記最も低い段階以外の段階、例えば、「強」に設定された状態の暖房運転、主に入浴前に浴室を暖める予備暖房に使用される暖房運転の実行中は、循環ファンの回転数を増加させるので、浴室を暖める予備暖房に支障が生じることもない。
【００２４】
（５）本発明の別の実施態様では、前記制御手段は、前記他方のファンの回転数を、前記第２所定回転数変更しても、前記振動レベルが、前記第２所定値以下に低下しないときには、前記一方のファン及び前記他方のファンの少なくともいずれか一方のファンの回転数を、更に変更する。
【００２５】
ファンの回転数の更なる変更は、上記(１)と同様に行ってもよい、すなわち、前記一方のファンの回転数を、更に所定回転数変更し、振動レベルが低下しないときには、前記他方のファンの回転数を、更に所定回転数変更するといったように繰り返してもよく、この場合、変更する回転数を初回の変更時と異ならせてもよい。
【発明の効果】
【００２６】
本発明によれば、温風乾燥運転または送風乾燥運転の実行中に、共振が生じたときには、換気ファン及び循環ファンの内の少なくとも一方のファンの回転数を所定回転数変更して、共振が生じる回転数領域からずらすので、共振が生じても速やかに共振状態を解消することができる。
【図面の簡単な説明】
【００２７】
【図１】本発明の一実施形態の浴室暖房乾燥機の設置状態を示す斜視図である。
【図２】図１の浴室暖房乾燥機の内部の配管を説明する管路図である。
【図３】図１の浴室暖房乾燥機の断面図である。
【図４】脱衣所用操作器の正面図である。
【図５】浴室用操作器の正面図である。
【図６】浴室暖房乾燥機の制御系統の構成を示すブロック図である。
【発明を実施するための形態】
【００２８】
以下、本発明の実施形態について図面を参照しながら説明する。
【００２９】
図１は、本発明の一実施形態に係る浴室暖房乾燥機の設置状態を示す斜視図である。
【００３０】
浴室暖房乾燥機１は、ユニットバス等の浴室２の浴槽３の上方位置の天井４に設置される。この実施形態の浴室暖房乾燥機１は、ミスト機能付の浴室暖房乾燥機であり、浴室２内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧すると共に温風を吹き出すミストサウナ浴、を実行する機能を有する。
【００３１】
この浴室暖房乾燥機１の本体５は、天井裏に配置され、吊り金具６にて天井スラブ等に吊り支持され、本体５の下面が、浴室２の天井４の開口部７に臨む。天井４の下面には、開口部７を覆うグリル板２０（図３参照）を配置してあり、グリル板２０を本体５の下面側に取り付けてあり、グリル板２０の外周縁が天井４に当接した状態となっている。
【００３２】
浴室暖房乾燥機１の本体５には、給湯暖房機等の屋外の熱源機８から温水が供給される。
【００３３】
また浴室暖房乾燥機１は、浴室２外の脱衣室に設けた脱衣室用操作器９や浴室２内に設けた浴室用操作器１０によってリモコン操作される。
【００３４】
図２は、図１の浴室暖房乾燥機１の内部の配管を説明するための管路図であり、図３は、図１の浴室暖房乾燥機１の断面図であり、図１に対応する部分には、同一の参照符号を付す。
【００３５】
図２に示すように、本体５内には、空気を加熱する加熱手段としての温風用熱交換器１１や循環ファン１２を内装してある。この温風用熱交換器１１は、内部に温水を通すことで外部を流れる空気、つまり浴室２内に送り込まれる空気と温水とを熱交換して、空気を加熱するもので、この温風用熱交換器１１は、本体５に配管した暖房用温水管路１３の途中に配置してあり、暖房用温水管路１３には、給湯暖房機等の熱源機８から温水が供給される。暖房用温水管路１３には、温風用熱交換器１１への温水の供給を開閉する熱動弁１４を設けてあり、暖房用温水管路１３には、この管路を流れる温水の温度を検出する暖房温水サーミスタ１５を配設してある。
【００３６】
図３に示すように、浴室暖房乾燥機１の本体５には、浴室内空気を循環させる上記循環ファン１２と、浴室内空気を外部へ排出する換気ファン１６とが設けられている。図３では、換気ファン１６の逆風止め１７が示されている。
【００３７】
また本体５の下面側には、循環ファン１２で送風される空気を浴室内に吹き出す吹き出し口１８を設けてあり、この吹き出し口１８には、可動ルーバー１９を回動自在に装着してあり、可動ルーバー１９を回動することにより吹き出し口１８の開閉、および、吹き出し口１８から吹き出す風向の変更が可能にしてある。グリル板２０には、浴室２内に空気を吸い込む吸い込み口２１を設けてあり、この吸い込み口２１の近傍に浴室温度サーミスタ２２を配設してある。
【００３８】
また浴室暖房乾燥機１には、ミスト浴の機能を具備するためにミスト発生部２３を組み込んである。ミスト発生部２３のミストノズル２４は、グリル板２０の一部に配置してあり、ミスト用給水管路２５がミストノズル２４に連通する。図２に示すように、このミストノズル２４として、２個のミストノズル２４ａ，２４ｂがあり、各ミストノズル２４ａ，２４ｂは、０．５リットル／ｍｉｎ程度の流量で温水のミストを噴霧する。ミストノズル２４ａ，２４ｂの手前には、電磁弁等で構成されるミスト開閉弁２６ａ，２６ｂを設けてあり、ミスト開閉弁２６ａ，２６ｂの開閉にてミストノズル２４ａやミストノズル２４ｂから選択的に温水のミストが噴霧される。２つのミストノズル２４ａ，２４ｂから温水のミストを噴霧すると、「強」のミスト量でミストを噴霧し、一方のミストノズル２４ａ又はミストノズル２４ｂから温水のミストを噴霧すると、「弱」のミスト量で噴霧するように構成される。本例の場合、ミスト発生部２３は本体５の上に搭載してある。
【００３９】
ミスト用給水管路２５には、水道水、いわゆる上水が供給され、入口側から順にストレーナ２７、給水電磁弁２８を設けてある。上記暖房用温水管路１３には、温風用熱交換器１１と並列になるようにミスト加熱用管路２９を設けてあり、このミスト加熱用管路２９には、ミスト加熱用管路２９を流れる温水の流れを制御する比例弁３０を設けてある。またミスト加熱用管路２９とミスト用給水管路２５との間には、液―液熱交換器で構成されるミスト用熱交換器３１を配設してあり、ミスト加熱用管路２９を流れる温水でミスト用給水管路２５を流れるミスト用の水を加熱するようになっている。ミスト用給水管路２５におけるミスト用熱交換器３１とミスト開閉弁２６ａ，２６ｂとの間には、ミスト用給水管路２５を流れる温水の温度を検出するミスト温度サーミスタ３２を配設してある。
【００４０】
図４に示すように、脱衣室用操作器９には、タイマー表示部３３、タイマー設定スイッチ３４、風向スイッチ３５、ミストサウナスイッチ３６、乾燥スイッチ３７、暖房スイッチ３８、涼風スイッチ３９、換気スイッチ４０、停止スイッチ４１を設けてある。
【００４１】
図５に示すように、浴室用操作器１０には、状態表示部４２、ミストサウナスイッチ４３、ミストスイッチ４４、温度設定スイッチ４５、暖房スイッチ４６、涼風スイッチ４７、風向スイッチ４８、ミスト入浴時間計測用のストップウォッチのスタート／ストップスイッチ４９、リセットスイッチ５０、停止スイッチ５１を設けてある。各操作器９，１０は、各運転や風量等の設定を行う設定手段としての機能を有する。
【００４２】
図６は、浴室暖房乾燥機１の制御系統の構成例を示すブロック図である。
【００４３】
浴室暖房乾燥機１は、メモリ５２及び演算回路５３等を内蔵した制御手段としての制御部５４を備えている。
【００４４】
上記操作器９や操作器１０をリモコン操作することで制御部５４は、以下のように制御する。
【００４５】
制御部５４は、操作器９や操作器１０からの指令に基づいて、循環用モータによって回転駆動される循環ファン１２および換気用モータによって回転駆動される換気ファン１６の通風作動を制御するなどして、浴室２内を乾燥する乾燥運転（温風乾燥運転）、浴室２内の空気を循環させるとともに換気する涼風運転（送風乾燥運転）、浴室２内を暖房する暖房運転、浴室２内を通常設定換気量にて換気する通常換気運転、浴室２内を２４時間設定換気量にて換気する２４時間換気運転などの各種の運転を実行するように構成されている。
【００４６】
脱衣室用操作器９や浴室用操作器１０には、上記図４、図５に示すように、乾燥運転（温風乾燥運転）を指令する乾燥運転スイッチ３７、涼風運転（送風乾燥運転）を指令する涼風運転スイッチ３９，４７、暖房運転を指令する暖房運転スイッチ３８，４６、通常換気運転を指令する換気運転スイッチ４０、タイマー表示部３３などが設けられている。なお、通常換気運転スイッチ４０を押し操作する毎に、「換気強」、「換気弱」の運転に切り替わる。
【００４７】
また、換気運転スイッチ４０を３秒以上押し操作することで、２４時間換気運転を行う「２４時間換気」の運転に切り替わる。
【００４８】
停止スイッチ４１を押し操作することで、上記各運転は停止するが、停止スイッチ４１を押し操作しても、２４時間換気運転は停止しない。２４時間換気運転中に、換気運転スイッチ４０を３秒以上押し操作することで、２４時間換気運転を停止する。
【００４９】
乾燥運転（温風乾燥運転）は、循環ファン１２を作動させ、かつ、浴室２内の温度が乾燥用の設定温度範囲に維持されるように、熱動弁１４の開閉を制御して温風用熱交換器１１に温水を循環供給するとともに、設定風量となるように換気ファン１６を作動させて、浴室２内から吸引した空気の一部を、排気ダクトを通して屋外に排出させながら、温風用熱交換器１１により加熱された循環空気を吹き出し口１８から浴室２内に吹出すようにしている。
【００５０】
涼風運転（送風乾燥運転）は、循環ファン１２を作動させるとともに、設定風量となるように換気ファン１６を作動させて、浴室２内から吸引した空気の一部を、屋外に排出させながら、吸い込み口２１から吸引された循環空気を吹き出し口１８から浴室２内に吹出すようにしている。
【００５１】
暖房運転は、換気ファン１６を停止させた状態で、循環ファン１２を作動させ、かつ、浴室２内の温度が暖房用の設定温度範囲に維持されるように、熱動弁１４の開閉を制御して温風用熱交換器１１に温水を循環供給させるとともに、浴室２内から吸引した空気の全量を温風用熱交換器１１により加熱し、その加熱された循環空気を吹き出し口１８から浴室２内に吹出すようにしている。
【００５２】
通常換気運転は、通常設定換気量となるように換気ファン１６を作動させて、浴室２内から吸引した空気を換気するようにしている。
【００５３】
２４時間換気運転は、２４時間設定換気量となるように換気ファン１６を作動させて、浴室２内から吸引した空気を換気するようにして、２４時間継続して換気するようにしている。
【００５４】
浴室暖房乾燥機１は、ユニットバスのように振動特性の異なる多様な浴室に設置されるので、浴室の種類や設置状況によっては、浴室暖房乾燥機１の循環ファン１２や換気ファン１６の回転によって生じる振動数が、浴室天井４等の構造物の固有振動数に近接、あるいは、一致して共振し、大きな振動が生じることが考えられる。
【００５５】
この実施形態の浴室暖房乾燥機１では、循環ファン１２や換気ファン１６の回転に起因して共振が生じる場合には、その共振状態を速や解消できるように、次のように構成している。
【００５６】
すなわち、上記制御部５４を構成する図示しない回路基板上には、振動を検知する振動検知手段として加速度センサ５５を設けている。この加速度センサ５５は、図６に示すように、振動の加速度を検出して振動レベルを加速度信号として、制御部５４に出力する。なお、加速度センサ５５の設置個所は、上記回路基板上に限らず、共振による振動を検知できる箇所であればよく、例えば、本体５のケースやグリル板２０等に設置してもよい。
【００５７】
この実施形態では、循環ファン１２及び換気ファン１６を共に作動させる温風乾燥運転または送風乾燥運転の実行中に、加速度センサ５４によって検出される加速度が、第１所定値ＳＣ１、例えば、０．００２５５Ｇ≒２．５Ｇａｌ以上になったときには、共振であるとして、制御部５４は、ファンの回転数変更制御を実行する。なお、Ｇは重力加速度である。
【００５８】
この回転数変更制御では、制御部５４は、循環ファン１２及び換気ファン１６の内の一方のファンである循環ファン１２の回転数を、第１所定回転数ＨＫ１だけ増加させる。この第１所定回転数ＨＫ１は、例えば、回転数変更制御実行前の循環ファン１２の設定回転数の数％、例えば２％の回転数である。回転数変更制御実行前の循環ファン１２の設定回転数が、例えば、１５００ｒｐｍの場合は、３０ｒｐｍ増加させて１５３０ｒｐｍに変更する。なお、第１所定回転数ＨＫ１は、前記数％に限らず、それ以上であってもよい。
【００５９】
循環ファン１２の回転数を第１所定回転数ＨＫ１だけ増加させることによって、加速度センサ５５によって検出される加速度が、上記第１所定値ＳＣ１より小さい第２所定値ＳＣ２、例えば、０．００１２８Ｇ≒１．２５Ｇａｌ以下に低下した場合には、共振状態が解消したとして、第１所定回転数ＨＫ１だけ増加させた後の循環ファン１２の変更後回転数である上記１５３０ｒｐｍを、設定回転数として制御部５４に内蔵されているメモリ５２に記憶し、次回以降の温風乾燥運転または送風乾燥運転の実行時に、循環ファン１２の回転数を、メモリ５２に記憶した変更後回転数である１５３０ｒｐｍに制御して運転する。これによって、次回以降の運転では、循環ファン１２の回転に起因する共振を防止することができる。
【００６０】
これに対し、循環ファン１２の回転数を、第１所定回転数ＨＫ１だけ増加させた変更後の回転数でも加速度センサ５５によって検出される加速度が、上記第２所定値ＳＣ２以下に低下しない場合は、共振状態は解消されておらず、循環ファン１２に起因する共振ではないとして、他方のファンである換気ファン１６の回転数を、第２所定回転数ＨＫ２だけ増加させる。この第２所定回転数ＨＫ２は、例えば、回転数変更制御実行前の換気ファン１６の設定回転数の数％、例えば２％の回転数である。回転数変更制御実行前の換気ファン１６の設定回転数が、例えば、１８００ｒｐｍの場合は、３６ｒｐｍ増加させて１８３６ｒｐｍに変更する。なお、第２所定回転数ＨＫ２は、前記数％に限らず、それ以上であってもよい。
【００６１】
そして、換気ファン１６の回転数を、第２所定回転数ＨＫ２だけ増加させて、加速度センサ５５によって検出される加速度が、上記第２所定値ＳＣ２以下に低下した場合には、共振状態が解消したとして、第２所定回転数ＨＫ２だけ増加させた後の換気ファン１６の変更後回転数である上記１８３６ｒｐｍを、設定回転数として制御部５４に内蔵されているメモリ５２に記憶し、次回以降の温風乾燥運転または送風乾燥運転の実行時に、換気ファン１６の回転数を、メモリ５２に記憶した変更後回転数である１８３６ｒｐｍに制御して運転する。これによって、次回以降の運転では、換気ファン１６の回転に起因する共振を防止することができる。
【００６２】
このようにして、換気ファン１６または循環ファン１２のいずれかの回転に起因する振動によって浴室暖房乾燥機１が設置されたユニットバスなどの浴室２が共振しても、上記の回転数変更制御を実行することによって、換気ファン１６または循環ファン１２の回転数が、共振を生じる回転数からずれるので、共振が持続することなく、共振によって生じる振動が抑制される。
【００６３】
なお、制御部５４が上記の回転数変更制御を実行して、循環ファン１２の回転数を、第１所定回転数ＨＫ１だけ増加させた後に、更に、換気ファン１６の回転数を、第２所定回転数ＨＫ２だけ増加させても、加速度センサ５５によって検出される加速度が、上記第２所定値ＳＣ２以下に低下しない場合、すなわち、共振状態が解消しない場合は、換気ファン１６または循環ファン１２の回転に異常が生じている旨を、脱衣室用操作器９や浴室用操作器１０によって報知する。
【００６４】
あるいは、報知を行うことなく、上記の回転数変更制御を繰り返す、すなわち、循環ファン１２の回転数を、更に所定回転数変更し、加速度が低下しないときには、換気ファン１６の回転数を、更に所定回転数変更するといったように繰り返してもよく、この場合、変更する所定回転数を初回の変更時と異ならせてもよい。
【００６５】
なお、本実施形態においては、温風乾燥運転または送風乾燥運転中に回転数変更制御を実行するときの第１所定回転数ＨＫ１及び第２所定回転数ＨＫ２は、共に正の値に設定され、回転数変更制御の実行によって循環ファン１２及び換気ファン１６の回転数を増加させるので、回転数を減少させるのに比べて、以下のような利点を有する。
【００６６】
(１)温風乾燥運転は一般的に、入浴後の浴室２の乾燥や衣類の乾燥などに使用されるため、換気風量及び循環風量が、数％程度微増しても不都合は生じにくい。
【００６７】
(２)送風乾燥運転は、涼風モードとして主に夏場の入浴時に涼風感を得るために使用されるため、換気風量及び循環風量が微増しても不都合は生じにくい。
【００６８】
(３)２４時間換気を行っている場合も、換気風量及び循環風量が微増しても問題は生じにくい。これに対し、２４時間換気を行っている場合、換気風量が減少すると所望の風量にて換気が行われないという不都合が生じる。
【００６９】
なお、第１所定回転数ＨＫ１及び第２所定回転数ＨＫ２を負の値とし、回転数変更制御の実行によって循環ファン１２及び換気ファン１６の回転数を減少させるようにしてもよい。
【００７０】
本実施形態においては、温風乾燥運転または送風乾燥運転中に回転数変更制御を実行するときに、先ず循環ファン１２の回転数を第１所定回転数ＨＫ１だけ増加させた後に、加速度センサ５５によって検出される加速度が第２所定値ＳＣ２以下に低下しない場合には、更に、換気ファン１６の回転数を第２所定回転数ＨＫ２だけ増加させるようにしているが、温風乾燥運転または送風乾燥運転中に回転数変更制御を実行するときに、先ず換気ファン１６の回転数を第２所定回転数ＨＫ２だけ増加させた後に、加速度センサ５５によって検出される加速度が第２所定値ＳＣ２以下に低下しない場合には、更に、循環ファン１２の回転数を第１所定回転数ＨＫ１だけ増加させるように、換気ファン１６の回転数を変更した後に循環ファン１２の回転数を変更するようにしてもよい。
【００７１】
次に、換気ファン１６を作動させることなく、循環ファン１２を作動させる暖房運転において共振が生じた場合について説明する。
【００７２】
本実施形態では、暖房運転の実行中に、加速度センサ５５によって検出される加速度が第３所定値ＳＣ３、例えば、０．００２５５Ｇ≒２．５Ｇａｌ）以上になったときには、共振であるとして、制御部５４は、暖房用回転数変更制御を実行する。
【００７３】
本実施形態では、暖房運転において、循環ファン１２の回転数が複数段階の回転数に設定可能であり、「暖房強」運転では、循環ファン１２の回転数が暖房用高回転数、例えば、１８００ｒｐｍに設定され、「暖房弱」運転では、循環ファン１２の回転数が暖房用低回転数、例えば、１２００ｒｐｍに設定される。
【００７４】
循環ファン１２の回転数が暖房用低回転数に設定された状態での「暖房弱」運転の実行中に、加速度センサ５５によって検出される加速度が、第３所定値ＳＣ３以上になったときには、共振であるとして、制御部５４が、循環ファン１２の設定回転数を、第３所定回転数ＨＫ３だけ減少させる。この第３所定回転数は、例えば、暖房用回転数変更制御実行前の循環ファン１２の設定回転数の数％、例えば２％の回転数である。暖房用回転数変更制御実行前の循環ファン１２の設定回転数が、１２００ｒｐｍであるので、２４ｒｐｍ減少させて１１７６ｒｐｍに変更する。なお、第３所定回転数ＨＫ３は、前記数％に限らず、それ以上であってもよい。
【００７５】
また、循環ファン１２の回転数が暖房用低回転数に設定された状態での「暖房弱」運転の実行中ではなく、「暖房強」運転の実行中に、加速度センサ５５によって検出される加速度が、第３所定値ＳＣ３以上になったときには、共振であるとして、制御部５４が、循環ファン１２の設定回転数を、第４所定回転数ＨＫ４だけ増加させる。この第４所定回転数は、例えば、暖房用回転数変更制御実行前の循環ファン１２の設定回転数の数％、例えば２％の回転数である。暖房用回転数変更制御実行前の循環ファン１２の設定回転数が、１８００ｒｐｍであるので、３６ｒｐｍ増加させて１８３６ｒｐｍに変更する。なお、第４所定回転数ＨＫ３は、前記数％に限らず、それ以上であってもよい。
【００７６】
このように暖房運転の実行中に、循環ファン１２の回転で生じる振動によって浴室暖房乾燥機１が設置されたユニットバスなどの浴室２が共振した場合であっても、暖房用回転数変更制御の実行によって循環ファン１２の回転数が共振回転数からずれることになるから、共振が持続することなく、共振によって生じる振動が抑制される。
【００７７】
上記温風乾燥運転や送風乾燥運転と同様に、変更後の循環ファン１２の回転数が、次回以降の暖房運転実行時の設定回転数として記憶される。
【００７８】
本実施形態によれば、更に次のような利点がある。
【００７９】
(１)「暖房強」運転は、主に入浴前の浴室を暖める予備暖房に使用されるため、循環風量が微増しても不都合は生じにくい。
【００８０】
(２)「暖房弱」運転は、主に入浴中の暖房に使用され、循環風量が増加すると、浴室内の使用者の濡れた肌に当たる風量が増えて、使用者が肌寒さを感じるが、循環風量が微減しても不都合は生じにくい。
【００８１】
上記の第１所定回転数ＨＫ１、第２所定回転数ＨＫ２、第３所定回転数ＨＫ３、第４所定回転数ＨＫ４は、適宜変更してもよい。
【００８２】
上記実施形態では、第１所定値ＳＣ１、第２所定値ＳＣ２、第３所定値ＳＣ３として、同じ値を用いているが、夫々異なる値を用いてもよい。
【符号の説明】
【００８３】
１      浴室暖房乾燥機
２      浴室
４      天井
８      熱源機
９      脱衣室用操作器
１０    浴室用操作器
１１    温風用熱交換器
１２    循環ファン
１４    熱動弁
１６    換気ファン
１５    暖房温水サーミスタ
１８    吹き出し口
２０    グリル板
２１    吸い込み口
２２    浴室温度サーミスタ
５３    演算回路
５４    制御部
５５    加速度センサ
ＨＫ１  第１所定回転数
ＨＫ２  第２所定回転数
ＨＫ３  第３所定回転数
ＨＫ４  第４所定回転数
ＳＣ１  第１所定値
ＳＣ２  第２所定値
ＳＣ３  第３所定値
【図１】
2015081743.tif 000003
【図２】
2015081743.tif 000004
【図３】
2015081743.tif 000005
【図４】
2015081743.tif 000006
【図５】
2015081743.tif 000007
【図６】
2015081743.tif 000008